(57)【要約】  インスリン注入ポンプと共に使用される新規な一部品の流体容器の組立品であって、流体容器の組立品は、胴本体と、胴本体と一体化される雄ルアー継手と、胴本体と一体化されるシール面と、流体容器の組立品がポンプハウジングに挿入されたときにポンプハウジングにシールするシール面を有する。また、胴は、流体容器の組立品の一部として、流体ポンプの開口部のねじと螺合するねじを有し、流体容器の組立品は流体ポンプ内に挿入されてねじと螺合され、そこの回転により流体容器の組立品をポンプ内に配置する。その後、ポンプ内のピストンが徐々に前進し胴の組立品内のプランジャに作用し、胴の組立品内の流体を雄ルアー継手およびそこに接続された導管を通じて、離れた位置の注入セットへ押出す。
2009508638.tif 000002
【特許請求の範囲】
【請求項１】
ポンプと接続するための流体容器の組立品であって、前記ポンプはハウジングと容器収納室とねじ付き円筒形容器収納室開口部と前記流体容器が前記容器収納室にあるときに流体容器の組立品に作用するピストンとを有し：
円筒形胴部を含む一部品の胴の組立品であって、前記円筒形胴部は胴直径を有し、また、第１開口端部および第２端部と、前記胴部の前記第２端部と一体化される雄ルアー継手とを有し、前記雄ルアー継手は切除された端部に開口部を有し、前記一部品の胴の組立品は前記胴部と一体化されるネック部を含み、前記ネック部は前記容器収納室開口部のねじと螺合する寸法のねじを含み、前記一部品の胴の組立品は流体シールして前記ポンプハウジングの前記容器収納室開口部に隣接して置かれる寸法の円筒形シール面を含み、前記円筒形シール面は前記ネック部と一体化される、一部品の胴の組立品と；
前記一部品の胴の組立品の前記開口端部に摺動可能に受け入れられる寸法のプランジャとを備える；
流体容器の組立品。
【請求項２】
人体に対し流体を皮下に注入するための組立品であって、
ポンプハウジングと、ねじを有する流体容器収納室開口部を含む流体容器の組立品の収納室と、駆動ピストンとを有するポンプと；
一部品の胴の組立品であって、一部品の胴の組立品は、胴直径を有する円筒形胴部を含み、第１開口端部および第２端部と前記胴部の前記第２端部と一体化される雄ルアー継手を有し、前記雄ルアー継手は切除された端部に開口部を有し、前記一部品の胴の組立品は前記胴部と一体化されるネック部を含み、前記ネック部は前記容器収納室開口部のねじと螺合する寸法のねじを含み、前記一部品の胴の組立品は、流体シールして前記ポンプハウジングの前記容器収納室開口部に隣接して置かれる寸法の円筒形シール面を含み、前記円筒形シール面は前記ネック部と一体化される、一部品の胴の組立品と、
前記一部品の胴の組立品の前記開口端部に摺動可能に受け入れられる寸法のプランジャとを含む
流体容器の組立品と；
前記流体容器の組立品の雄ルアー継手と接続するようになされた第１端部を含み、第２端部を有する導管と；
前記導管の第２端部に接続される薬剤注入セットであって、薬剤注入セットは前記容器から、接続されたルアー継手と導管を通って前記薬剤注入セット中へ、また、前記薬剤注入セットが接続された人の体内へ流体を送るために皮下に配置することができるカニューレを含む、薬剤注入セットとを備える；
組立品。
【請求項３】
前記円筒形胴部を前記ハウジングに着脱可能に固定する固定用組立品をさらに備える；
請求項１の流体容器の組立品。
【請求項４】
前記固定用組立品は、前記容器収納室開口部を画定する壁に接続する戻り止めを前記円筒形シール面の壁部に含む；
請求項３の流体容器の組立品。
【請求項５】
前記一部品の胴の組立品はタブをさらに含む；
請求項１の流体容器の組立品。
【請求項６】
前記プランジャはねじ付き内部を含む；
請求項１の流体容器の組立品。
【請求項７】
前記プランジャはＯリングを受け入れるようになされた；
請求項１の流体容器の組立品。
【請求項８】
ハンドルを有するロッドを含み、該ロッドはねじ部を有し、前記ハンドルのねじ部は前記プランジャの前記ねじ付き内部と螺合可能である；
請求項６の流体容器の組立品。
【請求項９】
前記プランジャのねじ付き内部は平坦な切除された端部を含み、前記ロッドのねじ部は、前記プランジャのねじ付き内部の平坦な切除された端部に対し平坦に受けられるようになされた同様な寸法の平坦な切除された端部を含む；
請求項８の流体容器の組立品。
【請求項１０】
前記一部品の胴の組立品は壁部を有し、該壁部は通気口を画定し、該通気口は前記流体容器の組立品が前記一部品の胴の組立品に接続されたときに前記ハウジングの内部が通気されるように寸法決めされ前記一部品の胴の組立品上に配置され、前記円筒形シール面は流体シールして前記収納室開口部に隣接して気密に接合して配置される；
請求項１の流体容器の組立品。
【請求項１１】
前記通気口は水分を気体からろ過することができるフィルタ材で実質的に覆われ、気体がフィルタ材を通過できるようにする；
請求項１０の流体容器の組立品。
【請求項１２】
前記フィルタ材は疎水性である；
請求項１１の流体容器の組立品。
【請求項１３】
前記通気口は外面に壁部を有し、前記通気口は外面に隣接するフィルタ材で覆われる；
請求項１０の流体容器の組立品。
【請求項１４】
前記ルアー継手の切除された端部の開口部は、直径が０．００３インチ（０．０７６２ｍｍ）と０．０２０インチ（０．５０８０ｍｍ）の間である；
請求項１の流体容器の組立品。
【請求項１５】
前記胴部の直径は、前記ねじ付き円筒形容器収納室開口部の直径より小さい；
請求項１の流体容器の組立品。
【請求項１６】
前記ねじ付き円筒形容器収納室開口部は少なくとも１つのＯリングを含み、前記一部品の胴の組立品の円筒形シール面は前記少なくとも１つのＯリングに接触する寸法になされている；
請求項１の流体容器の組立品。
【請求項１７】
ポンプと接続する流体容器の組立品であって、該ポンプは容器収納室と、ハウジングと、ねじ付き円筒形容器収納室開口部と、前記容器収納室に配置されると前記流体容器の組立品に作用するピストンとを有し：
第１開口端部と第２端部とを有する円筒形胴部を含む胴の組立品と；
前記胴部の第２端部に配置される雄ルアー継手であって、切除された端部に開口部を有し、該開口部は直径が０．００３インチ（０．０７６２ｍｍ）と０．０２０インチ（０．５０８０ｍｍ）の間である、雄ルアー継手とを備える；
流体容器の組立品。
【請求項１８】
第１開口端部と、第２開口端部と一体化される雄ルアー継手とを有する胴部と；
ポンプハウジング開口部とシールして接続するシール面であって、ポンプハウジングの内部は前記シール面と一体化される通気口を通じて通気できるようになされ、前記通気口は壁部を有し、前記シール面と一体化される通気口は外壁を含み、前記通気口の外壁はフィルタ材を受容し、前記フィルタ材は前記ハウジングの内部に水分が含まれようにできる；
流体容器の組立品。
【請求項１９】
ポンプと接続する流体容器の組立品であって、該ポンプはハウジングと、容器収納室と、ねじ付き円筒形容器収納室開口部と、前記流体容器が前記容器収納室にあると前記流体容器の組立品に作用するピストンとを有し：
一部品の胴の組立品を備え、
該一部品の胴の組立品は、胴直径を有する円筒形胴部であって、第１の開口端部と第２端部と、前記円筒形胴部の第２端部と一体化される雄ルアー継手とを含み、該雄ルアー継手は切除された端部に開口部を有し、
前記一部品の胴の組立品は、前記胴部と一体化されるネック部を含み、該ネック部は前記容器収納室開口部のねじと螺合する寸法のねじを含み、
前記一部品の胴の組立品は、流体シールして前記ポンプハウジングの容器収納室開口部に隣接して置かれる寸法の円筒形シール面を含み、該円筒形シール面は前記ネック部と一体化され、
前記一部品の胴の組立品は、タブをさらに含み、
前記一部品の胴の組立品は、前記一部品の胴の組立品の開口端部に摺動可能に受け入れられる寸法のプランジャであって、該プランジャはねじ付き内部を含み、Ｏリングを受け入れるようになされたプランジャと；
固定用組立品であって、該固定用組立品は円筒形シール面の壁部に戻り止めを含み前記容器収納室開口部を画定する壁と接続する、固定用組立品と；
ハンドルを有するロッドであって、該ロッドはねじ部を備え、前記ハンドルのねじ部は前記プランジャのねじ付き内部と接続できる、ロッドと；
通気口を画定する壁部であって、該壁部は、前記流体容器の組立品が接続され、前記円筒形シール面が流体シールして前記収納室開口部に隣接して気密に接続して置かれたときに前記ハウジングの内部が通気されるように寸法決めされて前記一部品の胴の組立品上に配置される、壁部とをさらに含み、
前記通気口は水分を気体からろ過し気体を通過させることができるフィルタ材で実質的に覆われ、前記フィルタ材は疎水性であり、前記ルアー継手の切除された端部の開口部は０．００３インチ（０．０７６２ｍｍ）と０．０２０インチ（０．５０８０ｍｍ）の間の直径であり、ねじ付き円筒形容器収納室は少なくとも１つのＯリングを含み、前記一部品の胴の組立品の円筒形シール面は前記少なくとも１つのＯリングに接触する寸法である；
流体容器の組立品。
【請求項２０】
前記通気口は外面に壁部を含み、前記通気口は外面に隣接するフィルタ材で覆われる；
請求項１９の流体容器の組立品。
【請求項２１】
患者にはめ込まれた薬剤注入セットを通して該患者にインスリンを提供するキットであって：
一部品の胴の組立品を含む流体容器の組立品であって、前記一部品の胴の組立品は胴直径を有し第１開口端部と第２端部と、前記胴部の第２端部と一体化される雄ルアー継手を有する円筒形胴部とを含み、前記雄ルアー継手は切除された端部に開口部を有し、前記一部品の胴の組立品は前記胴部と一体化されるネック部を含み、該ネック部は前記容器収納室開口部のねじと螺合する寸法のねじを含み、前記一部品の胴の組立品は流体シールして前記ポンプハウジングの容器収納室開口部に隣接して置かれる寸法の円筒形シール面であって、該円筒形シール面は前記ネック部と一体化される、円筒形シール面と、前記一部品の胴の組立品の開口端部に摺動可能に受け入れられる寸法のプランジャと、該プランジャに接続するロッドとを含む、一部品の胴の組立品と；
インスリンを内蔵する容器であって、シール隔膜を有する容器と；
雌ルアー継手と前記容器のシール隔膜を突き刺す寸法の針とを有する針の組立品と；
容器収納室と容器収納室開口部とを有するポンプであって、該容器収納室開口部はシール手段を有する、ポンプとを備える；
キット。
【請求項２２】
糖尿病患者にインスリンを供給するための組立品であって：
容器収納室と、駆動ピストンと、容器収納室開口部とを有するポンプであって、前記容器収納室開口部はシール手段を有する、ポンプと；
流体容器とを備え；
前記流体容器は、一部品の胴の組立品を備え、該一部品の胴の組立品は胴直径を有し、第１開口端部と第２端部と前記胴部の第２端部と一体化される雄ルアー継手とを含み、該雄ルアー継手は切除された端部に開口部を有し、前記一部品の胴の組立品は前記胴部と一体化されるネック部を含み、該ネック部は前記容器収納室開口部のねじと螺合する寸法のねじを含み、前記一部品の胴の組立品は流体シールして前記ポンプハウジングの容器収納室開口部に隣接して置かれる寸法の円筒形シール面を含み、該円筒形シール面は前記ネック部と一体化される；
組立品。
【発明の詳細な説明】
【技術分野】
【０００１】
この出願は、２００５年９月２１日出願の米国特許出願番号１１／２３１，７３７号に基づく優先権を主張し、また、同出願を参照して本明細書に組み込む。
【０００２】
［技術分野］
インスリンポンプと一緒に使用するための流体容器、すなわち、雄ルアー継手を含み、インスリンポンプのハウジングとシールできる一部品の流体容器に関する。
【背景技術】
【０００３】
糖尿病患者が調整された量のインスリンや他の薬剤を患者の体内へ注入できるように、薬剤注入ポンプが提供される。既存のポンプは、流体容器に作用し、インスリンのような液体を該容器から導管を通って注入セットへ、そして患者へと押し流すピストンを備える。
【０００４】
米国特許第６，２４８，０９３号（参照して本明細書に組み込む）で説明されるような、既存の薬剤注入ポンプのあるものは、そのポンプに挿入可能な流体容器とポンプハウジングとの間の防水あるいは耐水シールを提供するＯリングあるいは他の手段を有する。挿入可能な流体容器とポンプハウジングの間に防水あるいは耐水接続を提供することで、ポンプユーザは、シャワーやポンプに水をかける他の動作などの活動に従事できる。ポンプと容器とが耐水性を有することが都合よいということは理解されるであろう。
【０００５】
現在、耐水ポンプと一緒に使用される流体容器は、隔壁（ｓｅｐｔｕｍ）シール容器あるいはルアー先端容器を有する。隔壁を有する容器は、隔壁に穴を開ける突き通し部材との接続が必要で、薬剤注入ポンプへ流すために流体を導管へ送り込む。流体容器と一体の雄ルアー継手を有する現在の容器は、流体容器を耐水ポンプに適合させるように流体容器に接続可能な別の部品が必要である。このように、上記の現在のどちらのタイプも、突き通し部材を有してでも有さずにでも、流体容器を水密の関係でポンプハウジングに適合させるには、別の部品を必要とする。この構成にはいくつかの利点もあるが、出願人は、一部品で、一体となったユニットで、その切除された端部に雄ルアー継手を有する流体容器を提供することに利点を見出し、その一部品の容器は、ポンプハウジングの開口部に水密の関係で適合するようになされる。
【０００６】
消費者にとっては、１つの部品（アダプタ）を他の部品（流体容器）に接続しその後にその組立体をポンプハウジングに接続しなければならないよりも、一部品で用いるほうが便利である。さらに、出願人による新規な構成の一部品を提供するための製造プロセスにもいくつかの利点がある。さらに、一部品の構成をルアー継手と組み合わせる、出願人による使用から利点が生まれ、そのルアー継手はより大型のインスリン容器から流体を取り出すように針を受け入れるようになされ、同一のルアー継手が、その容器がポンプと接続した後に、次に  インスリンセットを有する導管にその切除された端部で接続する一般的な雌ルアー継手を受け入れる。
【０００７】
出願人は薬剤注入ポンプと接続するための新規な一部品の流体容器を提供し、その一部品の流体容器は、単一の部品で、多くの機能を有する。薬剤注入ポンプと接続可能な一部品の流体容器および関連する構造で達成されるこれらの機能のうちのいくつかには、以下を含む。
【発明の開示】
【０００８】
これらおよび他の目的物が流体ポンプと接続する流体容器の組立品で提供される。ポンプは、ハウジングと、流体容器収納室と、ねじ付き円筒形容器収納室開口部と、流体容器が容器収納室にあるときに流体容器の組立品に作用するピストンとを備える。流体容器の組立品は、一部品の胴の組立品を備える。一部品の胴の組立品は、胴の直径と第１開口端部と第２端部とを有する円筒形胴部と、胴部の第２端部と一体の雄ルアー継手とを含む。雄ルアー継手はその切除された端部に開口部を有する。一部品の胴の組立品は胴部と一体のネック部を含む。ネック部は容器収納室開口部と接続する寸法のねじを含む。一部品の胴の組立品は、ポンプハウジングの容器収納室開口部に隣接して流体密状態に置かれる寸法の円筒形シール面であって、ネック部と一体となる円筒形シール面と、一部品の胴の組立品の開口端に摺動可能に受け入れられる寸法のプランジャとを含む。
【０００９】
１．   ねじ部分は、薬剤注入ポンプのハウジングあるいはケースの雌ねじと接続し、流体容器を所定の位置に保持する；
２．   シール面は薬剤注入ポンプのケースのＯリングとシールし、水をシールするのを補助する；
３．   戻り止めは薬剤注入ポンプのケースの凹部と取り外し可能にかつロックするように接続し、流体容器のねじが思いがけず外れてしまうことを防止する；
４．   ベント口は、薬剤注入ポンプのハウジングあるいはケース内の圧力を外気圧と調整できるようにする；
５．   容器のルアー端の小さなオリフィス開口部は、薬剤の流れに十分な抵抗を与えつつ薬剤を容器から流れるようにして、ポンプが薬剤の流れを検知し、供給される薬剤の量を測定する；
６．   タブは容器をポンプにねじ締めしながら容器を保持するのを補助する；
７．   プランジャとねじ付きロッドは、ロッドがプランジャでスタックすることを防止し、よって容器を満たした後は取り外しにくいようになされる。
【００１０】
一部品のシール容器は典型的には、たとえばインスリンなどの薬剤を供給するのに用いる携帯薬剤ポンプで使用することを意図した、１．８ｍｌ、３．０ｍｌあるいは他の容量の容器である。流体容器は一般的な雄ルアー接続を備え、患者が選んだ雌ルアー受けを有する薬剤供給装置に接続して用いる薬剤注入ポンプを患者が使用できるようにする。
【発明を実施するための最良の形態】
【００１１】
図１は、ルアー部２０、ネック部４０および胴部６０を有する流体容器の組立品１０を示す。プランジャ７０が胴部の内面に摺動可能に接続し、プランジャ接続ロッド９０が着脱可能にプランジャに接続する。胴部６０は、供給される薬剤を貯留し、プランジャを受け入れ、プランジャは、薬剤注入ポンプからの駆動ピストンと結合する（図９参照）。
【００１２】
図２は、組み立てられた容器１０、プランジャ７０およびロッド９０を断面で示す。プランジャ７０は、プランジャねじ領域７２を有し、ロッド９０のロッドねじ領域９４と接続する。典型的には、プランジャはその外面に１つ以上のＯリング７４を受け入れ、容器の組立品１０の胴部６０と摺動可能にシールするようになされる。
【００１３】
図８に図示するように容器１０に充填する間、ロッド９０のハンドル９２を用いて、プランジャ７０を引き戻し、より大型の典型的には隔壁されたシール容器１０６から胴部６０内へ薬剤を吸引する。容器１０に充填した後、ロッド９０はプランジャ７０からねじで外され、処分される。
【００１４】
図３は、ルアー領域２０とネック領域４０の詳細を示す。ルアー領域２０は、標準的雄ルアー２２と、オプションとしてのねじ２６とからなり、ねじ２６は薬剤注入供給セットからのねじ付き雌ルアーレセプタクルを受け入れる。標準的雄ルアーとその付帯構造（ねじ、等）は、ＩＳＯ５９４−１およびＩＳＯ５９４−２（これらを参照して本明細書に組み込む）に従った寸法とされ、しかし、以下に説明するように、決まっていない寸法を有する。
【００１５】
充填された容器１０は、ロッド９０を取り外した後、胴部の端部を先頭にして、軸方向に薬剤注入ポンプに挿入される。容器１０が完全に薬剤注入ポンプに挿入されると、ネック部４２に配置されたねじ部分４４が薬剤注入ポンプのねじ部と接続する。オプションとして、容器を薬剤注入ポンプに締め付けたり緩めたりすることを容易にするため、タブ２４を備える。シール面３０は、容器収納室開口部の組立品よりわずかに小さな寸法とされ、容器１０をＯリング（単数あるいは複数）あるいは薬剤注入ポンプハウジング開口部（図９参照）に配置される他の機能的に同等なものとシールする。容器が薬剤注入ポンプのケースハウジングとシールすることで、水密あるいは耐水性の薬剤注入ポンプ／容器の組立品を提供し、患者は、そうでなければケース内に水が浸入し電子機器を損傷するような水泳、シャワーや他の活動中に、薬剤注入ポンプを身につけておくことができる。戻り止め２８は、薬剤注入ポンプケースの凹部と係合し、容器が薬剤注入ポンプのねじから思いがけずに外れることを防止する。戻り止め２８は、シール面３０の壁と一体化されてもよい。
【００１６】
既存の薬剤注入ポンプは、駆動ピストンの動きを定めることにより液体容器から流出する薬剤の体積を測定する手段を有する。それらは、駆動ピストンの組立品に配置されたセンサを用いて、容器内のプランジャの動きを検出するのが普通である。駆動ピストンの動きを検出するセンサでは、薬剤の流れ、すなわちプランジャの動きに対する抵抗が必要である。ルアー２２は、新規なオリフィス開口部３２を有し、オリフィス開口部３２により、流れへの抵抗を与えながら薬剤を容器から流出させることができる。オリフィス開口部３２のサイズは、直径で０．００３インチ（０．０７６２ｍｍ）から０．０２０インチ（０．５０８ｍｍ）、好ましくは、０．００５インチ（０．１２７ｍｍ）から０．０１０インチ（０．２５４ｍｍ）という非常に小さなもので、新規な大きさである。オリフィス開口部３２のこの小さな直径は、薬剤注入ポンプで供給される薬剤の量を計測するのに十分な流れへの抵抗を与える。
【００１７】
図４は、少なくとも一つのベント口３４を示すルアー領域２０の図である。
【００１８】
図５は、ベント口３４に接合された、典型的には疎水性の、フィルタ材３６を示す。薬剤注入ポンプ／容器の組立品はケース内部に水が浸入することを防止するためにシールされているが、ケースの内部圧力を外部環境と調和するようにする構成が提供されるのがよい。薬剤注入ポンプの内圧が外気環境と異なっていると、薬剤の投薬の正確さに影響する。薬剤注入ポンプの内圧を外気環境と調和するために、容器１０のルアー領域２０にベント口３４が提供される。ベント口３４は、典型的には疎水フィルタ材３６に覆われる。疎水性材料では、気体はその材料中を通過させるが、水や他の液体の通過には抵抗し、よって耐水性のベントを提供する。疎水性の材料は、超音波や熱かしめ（ｈｅａｔ  ｓｔａｋｉｎｇ）により容器に溶着し、あるいは他の手段で接合してもよい。
【００１９】
図６は、プランジャ７０のねじ領域７２とロッド９０のねじ領域９４とを示す。プランジャ７０のねじ７２は平坦な端部７６で終わる。ロッド９０のねじ９４も同様なサイズの平坦な端部９８で終わる。ロッド９０がプランジャ７０にねじ込まれると、ねじ７２とねじ９４とが互いに固結する前に、平坦な端部７６と平坦な端部９８とが互いに突き当たる。このようにねじを止めることで、ロッド９０がプランジャ７０内でスタックし、容器１０を充填した後に取り外しにくくなることを防止する。
【００２０】
図７は、出願人による新規な流体容器１０の分解図を示し、流体容器１０からはロッドが取り外された後で、流体容器１０が充填された後で、流体容器１０はポンプのハウジングＨに接続している。
【００２１】
ハウジングＨは、容器収納室ＲＣと容器収納室開口部ＲＣＯとを含んで示される。容器収納室開口部は、その壁部に、出願人による戻り止め２８を受け入れるための戻り止め用開口２８Ａを有する。ねじ４４が、典型的には流体容器のネック領域に、備えられ、容器収納室開口部のねじ４４Ａと螺合し、流体が充填された流体容器の組立品１０を容器収納室内に位置決めする。モータＭは、ピストンと接続し、ルアー継手から図１０で説明するように導管１１０へと流体を駆動するように、胴部６０の長手軸に沿った軸方向に駆動ピストンＤＰを動かす。
【００２２】
図８は、出願人による流体容器の組立品を針の組立品１００と接続して用いるところを図示し、針の組立品１００は針１０２と流体シールして接続している。針１０２は、小さなオリフィスがある切除された端部を有し、中が空洞である。針の組立品１００は、典型的には雌ルアー継手１０４を含み、雌ルアー継手は、容器１０の胴部の雄ルアー継手２０に流体シールしてぴったりと受け入れられるように設計されサイズ決めされる。
【００２３】
流体容器１０に接続する針の組立品１００を有する流体容器１０と、プランジャ７０に接続するプランジャ接続ロッド９０と、ルアー胴部６０（そこには雄ルアー部２０が含まれる）の末端を画定する壁に対し前方一杯となった位置のプランジャ７０とで、ユーザは針１０２を流体（典型的には、インスリン）容器１０６の隔膜に突き刺すことができる。図８に示す方向にプランジャ接続ロッド９０を引くと、流体は容器１０６から流体容器１０に引き抜かれる。プランジャ７０が胴部６０の切除された開口端あるいはその近くになったときに、プランジャ接続ロッド９０を回転し、プランジャから取り外すことができる。出願人による新規なプランジャ接続ロッド９０とプランジャ７０との平坦な端部同士の接続のために、プランジャ７０は、胴部内で回転することなく、ロッドからプランジャを回転して離すことを容易にする。プランジャ接続ロッド９０を撤去することで、容器１０は、図７および図９に示されるようにシリンダーポンプに軸方向に挿入される。
【００２４】
出願人による新規な容器は、典型的には容器収納室開口部を十分に通り抜け、容器収納室に入る直径で、収納室壁と整列する胴部を有し、胴部の組立品は駆動ピストンの長手軸と整列した長手軸を有する。出願人による容器１０が、ミニ−メド・モデル・ＭＭＴ−５１１（Ｍｉｎｉ−Ｍｅｄ  Ｍｏｄｅｌ  ＭＭＴ−５１１）のような、ハウジングＨ内に挿入されると、ねじ４４Ａは容器１０のねじ４４と螺合する。接続してから容器１０を回し続けると、容器は、シール面３０が容器収納室開口部ＲＣＯのＯリングあるいは他のシール手段に隣接するまでの距離、容器収納室ＲＣ内に引き込まれる。さらに、出願人による、シール面３０の壁部の戻り止め２８は、典型的には小さな突起であるが、図７に図示するように、容器収納室開口部ＲＣＯの壁部の切欠き２８Ａと係合する。
【００２５】
図１０は、ユーザのベルトＢで所定位置に保持されたポンプＰを示す。ポンプＰは、接続された流体導管１１２を有する薬剤注入セットの組立品１１０を示す。流体導管１１２の手前側の端部は雌ルアー継手１１４で、出願人による流体容器１０にぴったりと接続する。雌ルアー継手１１４は、その基部にねじ１１４Ａを有し、流体容器１０のルアーねじ２６と螺合する。流体容器１０からの流体は、駆動ピストンＤＰが徐々に前進すると、雄ルアー継手および雌ルアー継手および導管１１２を通って薬剤注入セット１１６へと押出され、業界で既知の方法で、ユーザの体内へ注入される。
【００２６】
本発明を特定の実施の形態を参照して説明したが、この説明は限定的意味で解釈する意味ではない。本発明の代替の実施の形態に加え、開示された実施の形態の種々の改変は、本発明の説明を参考にした上で、当業者にとって明らかであろう。したがって、添付の特許請求の範囲は、本発明の範囲内となるそれらの改変に及ぶものと考えられる。
【図面の簡単な説明】
【００２７】
【図１】図１は、出願人による新規な一部品の流体容器の組立品の斜視図における分解図を示し、プランジャ接続ロッドも含む。
【図２】図２は、出願人による新規な流体容器を断面立面図で示し、プランジャと接続するプランジャロッドと一緒の流体容器の組立品を含む。
【図３】図３は、胴部の第２端部の拡大詳細図を斜視図で示し、一体とされたネックシール面、タブ、ねじおよび他の関連構造を示し、胴部内部と流体接続した雄ルアー継手を含む。
【図４】図４は、図３の組立品と同じような斜視図で、別の角度からの図である。
【図５】図５は、出願人による流体容器の組立品の胴部の前面からの斜視図で、一体とされたベント口と、ベント口の外壁に接合されあるいはシールされるろ過材を示す。
【図６】図６は、内部ねじ部と共にプランジャを示し、また、プランジャにねじ接続するねじ部と共にロッドを示す。
【図７】図７は、容器収納室と容器収納室開口部を有するポンプのハウジングに出願人による流体容器の組立品が接続するやり方を示す、断面立面図であり、一部切欠いてある。
【図８】図８は、流体ポンプに挿入するための、空の流体容器に充填するのに、出願人による流体容器の組立品を用いるやり方を示す。
【図９】図９は、出願人による流体容器の組立品をポンプのハウジングの容器収納室に接続するやり方を上部立面図で示し、一部切欠いてある。
【図１０】図１０は、出願人によるポンプ／薬剤注入セットの組立品の側面立面図であり、流体容器は、ポンプと薬剤注入セットに接続し、薬剤注入セットはその端部に雌ルアー継手を有する導管を有し、流体容器の雄ルアー継手と接続する。
【図１】
2009508638.tif 000003
【図２】
2009508638.tif 000004
【図３】
2009508638.tif 000005
【図４】
2009508638.tif 000006
【図５】
2009508638.tif 000007
【図６】
2009508638.tif 000008
【図７】
2009508638.tif 000009
【図８】
2009508638.tif 000010
【図９】
2009508638.tif 000011
【図１０】
2009508638.tif 000012
【国際調査報告】
2009508638.tif 000013